(57)【要約】【課題】故障検出方法及び監視装置において、電源供給ユニットの故障の誤検出を防止可能とすることを目的とする。【解決手段】故障検出方法は、冗長化された電源系統のうち任意の１つの電源系統から電源電圧を供給される複数のユニット内の各々の電源供給ユニットにおいて対応する電源系統の停電又は前記電源供給ユニットの故障を検出し、前記任意の１つの電源系統から電源電圧を供給される前記複数のユニットにおいて検出された停電又は故障を監視装置で監視する。前記監視は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する。【選択図】図７
2011034219.tif 000002
【特許請求の範囲】
【請求項１】
冗長化された電源系統のうち任意の１つの電源系統から電源電圧を供給される複数のユニット内の各々の電源供給ユニットにおいて対応する電源系統の停電又は前記電源供給ユニットの故障を検出する検出工程と、
前記任意の１つの電源系統から電源電圧を供給される前記複数のユニットにおいて検出された停電又は故障を監視装置で監視する監視工程を含み、
前記監視工程は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する、故障検出方法。
【請求項２】
前記検出工程は、前記任意の１つの電源系統からの電源電圧が一定時間内に一定電位まで低下した場合に停電を検出する、請求項１記載の故障検出方法。
【請求項３】
前記検出工程は、前記任意の１つの電源系統からの電源電圧の電圧変換後の電位が一定電位未満の場合、又は、内部温度が一定温度まで上昇した場合に故障を検出する、請求項１又は２記載の故障検出方法。
【請求項４】
冗長化された電源系統から電源電圧を供給される複数のユニットを監視する監視装置であって、
前記冗長化された電源系統のうち任意の１つの電源系統から電源電圧を供給される複数のユニット内の各々の電源供給ユニットにおいて検出された対応する電源系統の停電に関する停電通知又は前記電源供給ユニット自身の故障に関する故障通知に基づいて、前記任意の１つの電源系統から電源電圧を供給される前記複数のユニットにおいて検出された停電又は故障を監視装置で監視する手段を備え、
前記手段は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する、監視装置。
【請求項５】
前記手段は、前記１つのユニットにおいて故障が検出され、一定時間経過しても他の１つユニットにおいて停電又は故障が検出されないと、前記１つのユニットにおいて検出された故障は誤検出ではないと判定する、請求項４記載の監視装置。
【発明の詳細な説明】
【技術分野】
【０００１】
本発明は、故障検出方法及び監視装置に係り、電源供給ユニットの故障を検出する故障検出方法及び監視装置に関する。
【背景技術】
【０００２】
電源供給ユニット（ＰＳＵ：Power Supply Unit）は、入力電圧に整流や降圧等の処理を施し、ＰＳＵが属する装置内のハードディスク装置（ＨＤＤ：Hard Disk Drive）等の各種ユニットに適した安定した電源電圧を供給する。ＰＳＵは高圧電流を扱うため、ＰＳＵが故障した場合には発熱が生じたり、装置内のユニットに供給される電源電圧に異常が生じることによりユニットの故障につながる可能性もある。これらの問題を避けるため、ＰＳＵは常時独立してＰＳＵ自身の状態を監視し、故障を検出した場合には直ちに自己縮退処理を行う機能を有する。又、ＰＳＵは、停電発生時に装置が直ちに電池等の二次電源を用いた動作への移行処理を行うために、入力電圧を監視して停電を装置内のユニットに通知する機能も有する。
【０００３】
このように、ＰＳＵの代表的機能には、入力電圧を装置内の各ユニットに適した安定した電源電圧に変換して供給する機能、ＰＳＵ自身の状態を監視して故障検出時には直ちに自己縮退処理を行う機能、及び停電の発生を検出して装置内のユニットに通知する機能が含まれる。
【０００４】
大型記憶装置の一例であるＲＡＩＤ（Redundant Array of Independent Disks）装置は、拡張性と冗長性を維持するために、複数のコントローラユニットと複数のＨＤＤユニットとをネットワークを介して接続し、各ユニット間で通信を行うことで１台の記憶装置として協調動作を行う。
【０００５】
図１は、代表的なＲＡＩＤ装置の構成の一例を示すブロック図である。図１に示すＲＡＩＤ装置１は、コントローラユニット２−１，２−２及びＨＤＤユニット３−１〜３−Ｎ（Ｎは２以上の自然数）がネットワーク４−１，４−２を介して接続された構成を有する。各コントローラユニット２−１，２−２は、プログラムやデータを格納する記憶部とプログラムを実行するＣＰＵ等のプロセッサを含む周知の汎用コンピュータで形成可能で、コントローラユニット２−１は監視装置２１１を有し、コントローラユニット２−２は監視装置２２１を有する。各ＨＤＤユニット３−ｉ（ｉ＝１〜Ｎ）は、２個のＰＳＵ３ｉ１，３ｉ２及び複数のＨＤＤ３ｉ３を有する。例えば、ＨＤＤユニット３−１は、２個のＰＳＵ３１１，３１２及び複数のＨＤＤ３１３を有する。
【０００６】
各ＨＤＤユニット３−１〜３−Ｎの一方のＰＳＵ３１１〜３Ｎ１は、電源ケーブル５−１を介して得られる第１の電源系統２１からの入力電圧を適切な電源電圧に変換してからＨＤＤユニット３−１〜３−Ｎ内の各部に供給する。又、各ＨＤＤユニット３−１〜３−Ｎの他方のＰＳＵ３１２〜３Ｎ２は、電源ケーブル５−２を介して得られる第２の電源系統２２からの入力電圧を適切な電源電圧に変換してからＨＤＤユニット３−１〜３−Ｎ内の各部に供給する。又、各ＨＤＤユニット３−１〜３−Ｎの一方のＰＳＵ３１１〜３Ｎ１は、ネットワーク４−１を介して監視装置２１１により監視されており、各ＨＤＤユニット３−１〜３−Ｎの他方のＰＳＵ３１２〜３Ｎ２は、ネットワーク４−２を介して監視装置２２１により監視されている。
【０００７】
このように、各ＨＤＤユニット３−１〜３−Ｎでは、ＰＳＵが二重化（又は、冗長化）されているため、一方のＰＳＵが故障しても他方のＰＳＵから電源電圧を供給することができる。従って、一方のＰＳＵが故障して自己縮退処理を行った場合であっても、ＲＡＩＤ装置１全体としては動作を継続することができる。例えば、図１の第１の電源系統２１で停電が発生した場合、一方のＰＳＵ３１１〜３Ｎ１は電源電圧を供給できなくなるが、電源系統２２が正常であれば他方のＰＳＵ３１２〜３Ｎ２が電源電圧をＨＤＤユニット３−１〜３−Ｎ内の各部に供給することができるので、ＲＡＩＤ装置１としては正常に動作可能となる。
【０００８】
ＰＳＵは、入力電圧を監視して停電を検出するが、一時的に入力電圧が不安定となるような特殊な停電に対しては停電を検出できない場合がある。又、そのような不安定な入力電圧が原因でＰＳＵが電圧変換を正常に行えないと、ＰＳＵ自身が故障であると判断して自己縮退処理を行ってしまう。
【０００９】
図２は、通常の停電時の入力電圧の変化を説明する図であり、図３は、特殊な停電時の入力電圧の変化を説明する図である。図２及び図３において、縦軸は電源系統からＰＳＵへの入力電圧を任意単位で示し、横軸は時間を任意単位で示す。
【００１０】
ＰＳＵは、図２に示す如く入力電圧が急激に一定電位まで低下する通常の停電を検出することができる。つまり、入力電圧が一定時間内に一定電位まで低下すると、ＰＳＵは停電を検出することができる。
【００１１】
しかし、例えば図３に示す如く入力電圧が一定時間不安定となり一定電位まで低下するのに一定期間より長い時間がかかると、ＰＳＵは不安定な入力電圧が原因で電圧変換を正常に行えない。ＰＳＵは、入力電圧の電圧変換を正常に行えないと、このＰＳＵ自身の故障を検出することができる。このため、実際には電圧変換が正常に行えない原因が特殊な停電にあり、ＰＳＵ自身は故障していないにもかかわらず、ＰＳＵ自身が故障していると判断して自己縮退処理を行う。このため、特殊な停電の原因が取り除かれても、自己縮退処理を行ったＰＳＵが修理又は交換されるまではＲＡＩＤ装置１をＰＳＵが冗長化された状態で使用することができない。
【００１２】
この問題を解決するための手段としては、ＰＳＵ自身の故障検出精度をハード的に向上させるという方法が考えられるが、故障の誤検出が発生する頻度や、故障の誤検出が発生した際のペナルティ、即ち、一時的に冗長性が落ちるだけでＲＡＩＤ装置は正常に動作可能であることを考慮すると、ＰＳＵの故障検出精度の向上に要するコストに見合った効果は期待できない。更に、ＰＳＵの故障検出精度を向上させるとしても限界があるため、故障の誤検出を完全に防ぐことは困難である。
【先行技術文献】
【特許文献】
【００１３】
【特許文献１】特開２００５−３０１４７６号公報
【特許文献２】特開２００２−３４１７７号公報
【発明の概要】
【発明が解決しようとする課題】
【００１４】
従来の故障検出方法では、電源供給ユニット故障の誤検出を防止することは難しいという問題があった。
【００１５】
そこで、本発明は、電源供給ユニットの故障の誤検出を防止可能な故障検出方法及び監視装置を提供することを目的とする。
【課題を解決するための手段】
【００１６】
本発明の一観点によれば、冗長化された電源系統のうち任意の１つの電源系統から電源電圧を供給される複数のユニット内の各々の電源供給ユニットにおいて対応する電源系統の停電又は前記電源供給ユニットの故障を検出する検出工程と、前記任意の１つの電源系統から電源電圧を供給される前記複数のユニットにおいて検出された停電又は故障を監視装置で監視する監視工程を含み、前記監視工程は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する故障検出方法が提供される。
【００１７】
本発明の一観点によれば、冗長化された電源系統から電源電圧を供給される複数のユニットを監視する監視装置であって、前記冗長化された電源系統のうち任意の１つの電源系統から電源電圧を供給される複数のユニット内の各々の電源供給ユニットにおいて検出された対応する電源系統の停電に関する停電通知又は前記電源供給ユニット自身の故障に関する故障通知に基づいて、前記任意の１つの電源系統から電源電圧を供給される前記複数のユニットにおいて検出された停電又は故障を監視装置で監視する手段を備え、前記手段は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する監視装置が提供される。
【発明の効果】
【００１８】
開示の故障検出方法及び監視装置によれば、電源供給ユニットの故障の誤検出を防止することが可能となる。
【図面の簡単な説明】
【００１９】
【図１】代表的なＲＡＩＤ装置の構成の一例を示すブロック図である。
【図２】通常の停電時の入力電圧の変化を説明する図である。
【図３】特殊な停電時の入力電圧の変化を説明する図である。
【図４】実施例の構成の一例を示すブロック図である。
【図５】実施例における故障検出の一例を説明する図である。
【図６】実施例における故障検出の他の例を説明する図である。
【図７】実施例の動作を説明するフローチャートである。
【発明を実施するための形態】
【００２０】
開示の故障検出方法及び監視装置では、電源系統が冗長化された複数のユニットで構成された装置において、電源系統からの入力電圧が原因で発生した電源供給ユニット（ＰＳＵ）の故障の誤検出を、装置全体の状況から実際にはＰＳＵの故障ではなく故障の誤検出であることを、各ＰＳＵの状態に基づいて監視装置が判定する。
【００２１】
以下に、開示の故障検出方法及び監視装置の各実施例を図面と共に説明する。
【実施例】
【００２２】
図４は、本発明の一実施例の構成の一例を示すブロック図である。この例では、実施例がＲＡＩＤ装置に適用されている。図４中、図１と同一部分には同一符号を付す。
【００２３】
図４に示すＲＡＩＤ装置１１は、監視装置１２−１，１２−２及びＨＤＤユニット３−１〜３−Ｎ（Ｎは２以上の自然数）がネットワーク４−１，４−２を介して接続された構成を有する。各監視装置１２−１，１２−２は、プログラムやデータを格納する記憶部とプログラムを実行するＣＰＵ等のプロセッサを含む周知の汎用コンピュータで形成可能である。各ＨＤＤユニット３−ｉ（ｉ＝１〜Ｎ）は、２個のＰＳＵ３ｉ１，３ｉ２及び複数のＨＤＤ３ｉ３を有する。例えば、ＨＤＤユニット３−１は、２個のＰＳＵ３１１，３１２及び複数のＨＤＤ３１３を有する。
【００２４】
各ＨＤＤユニット３−１〜３−Ｎの一方のＰＳＵ３１１〜３Ｎ１は、電源ケーブル５−１を介して得られる第１の電源系統２１からの入力電圧を適切な電源電圧に変換してからＨＤＤユニット３−１〜３−Ｎ内の各部に供給する。又、各ＨＤＤユニット３−１〜３−Ｎの他方のＰＳＵ３１２〜３Ｎ２は、電源ケーブル５−２を介して得られる第２の電源系統２２からの入力電圧を適切な電源電圧に変換してからＨＤＤユニット３−１〜３−Ｎ内の各部に供給する。又、各ＨＤＤユニット３−１〜３−Ｎの一方のＰＳＵ３１１〜３Ｎ１は、ネットワーク４−１を介して監視装置１２−１により監視されており、各ＨＤＤユニット３−１〜３−Ｎの他方のＰＳＵ３１２〜３Ｎ２は、ネットワーク４−２を介して監視装置１２−２により監視されている。監視装置１２−１は、各ＨＤＤユニット３−１〜３−Ｎの一方のＰＳＵ３１１〜３Ｎ１からネットワーク４−１を介して故障検出通知、又は、停電検出通知を受ける。監視装置１２−２は、各ＨＤＤユニット３−１〜３−Ｎの他方のＰＳＵ３１２〜３Ｎ２からネットワーク４−２を介して故障検出通知、又は、停電検出通知を受ける。
【００２５】
このように、各ＨＤＤユニット３−１〜３−Ｎでは、ＰＳＵが二重化（又は、冗長化）されているため、一方のＰＳＵが故障しても他方のＰＳＵから電源電圧を供給することができる。従って、一方のＰＳＵが故障して自己縮退処理を行った場合であっても、ＲＡＩＤ装置１全体としては動作を継続することができる。例えば、図１の第１の電源系統２１で停電が発生した場合、一方のＰＳＵ３１１〜３Ｎ１は電源電圧を供給できなくなるが、電源系統２２が正常であれば他方のＰＳＵ３１２〜３Ｎ２が電源電圧をＨＤＤユニット３−１〜３−Ｎ内の各部に供給することができるので、ＲＡＩＤ装置１としては正常に動作可能となる。尚、ＰＳＵの冗長化は、二重化に限定されず、３以上の電源系統の各々に対して各ＨＤＤユニット内で１つのＰＳＵを設けても良いことは言うまでもない。
【００２６】
図３と共に説明したように、入力電圧が一定時間不安定となり一定電位まで低下するのに一定期間より長い時間がかかるような特殊な停電が発生した場合、ＰＳＵ自身は故障していないにもかかわらず、ＰＳＵ自身が故障していると判断して自己縮退処理を行う。ＰＳＵ自身では、故障が誤検出であるか否かを判断することはできない。しかし、停電の原因は、特殊な停電を含め、ＲＡＩＤ装置１１の外部の電源系統２１又は電源系統２２にあり、ＲＡＩＤ装置１１内の複数のＨＤＤユニット３−１〜３−Ｎが停電に影響される。そこで、本実施例では、ＲＡＩＤ装置１１内の全てのＨＤＤユニット３−１〜３−Ｎを監視している監視装置１２−１，１２−２であれば、停電であるか否か、即ち、ＰＳＵの故障は誤検出であるか否かを判断可能である点に着目する。
【００２７】
図５は、実施例における故障検出の一例を説明する図である。図５中、図４と同一部分には同一符号を付し、その説明は省略する。
【００２８】
図５は、第２の電源系統２２で特殊な停電が発生した例を示す。この場合、第２の電源系統２２、即ち、同一の電源系統に属するＰＳＵ３−１〜３−Ｎのうち複数のＰＳＵで故障が検出される。しかし、監視装置１２−２は、複数のＰＳＵが短時間で同時に故障するような確率が低いことから、複数のＰＳＵで検出された故障は、第２の電源系統２２が停電の原因で誤検出された故障であると判断することが可能である。
【００２９】
図６は、実施例における故障検出の他の例を説明する図である。図６中、図４と同一部分には同一符号を付し、その説明は省略する。
【００３０】
図６は、第２の電源系統２２で特殊な停電が発生した例を示す。この場合、第２の電源系統２２、即ち、同一の電源系統に属するＰＳＵ３−１〜３−Ｎのうち例えばＰＳＵ３１２で故障が検出され、他の複数のＰＳＵ（例えば、ＰＳＵ３２２，３Ｎ２）で停電が検出される。しかし、監視装置１２−２は、１つのＰＳＵ３１２で故障が検出されたのと同時期に複数のＰＳＵで停電が検出される確率が低いことから、ＰＳＵ３１２で検出された故障は第２の電源系統２２が停電の原因で誤検出された故障であると判断することができる。
【００３１】
図７は、実施例の動作を説明するフローチャートである。図７に示す故障誤検出判定処理は、各監視装置１２−１，１２−２により実行される。具体的には、監視装置を形成するプロセッサが記憶部に格納された故障誤検出判定プログラムを実行することで、故障誤検出判定処理が実行される。監視装置１２−１がＨＤＤユニット３−１〜３−Ｎの各ＰＳＵ３１１〜３Ｎ１に対して実行する故障誤検出判定処理は、監視装置１２−２がＨＤＤユニット３−１〜３−Ｎの各ＰＳＵ３１２〜３Ｎ２に対して実行する故障誤検出判定処理と同様であるため、ここでは説明の便宜上、監視装置１２−２が実行する故障誤検出判定処理を説明する。
【００３２】
図７において、ステップＳ１では、ＲＡＩＤ装置１１内の全てのＨＤＤユニット３−１〜３−Ｎのうち、任意のＰＳＵで故障が発生してこの任意のＰＳＵ自身で故障が検出されたか否かをこの任意のＰＳＵからの故障検出通知があるか否かに基づいて判定する。各ＰＳＵは、例えば図３に示すように電源系統からの入力電圧が一定時間不安定となり一定電位まで低下するのに時間がかかるために不安定な入力電圧が原因で電圧変換を正常に行えない場合や、故障が原因で電圧変化を正常に行えない場合、更に内部温度が一定温度まで上昇したりした場合、周知の方法で故障が発生したと判断する。電圧変換が正常に行われているか否かは、例えばＰＳＵ内の検出回路により入力電圧を電圧変換した後の電圧が一定電位以上であるか否かを判定することで判断可能である。入力電圧を電圧変換した後の電圧が一定電位未満であれば、電圧変換が正常に行われていないと判定可能である。又、ＰＳＵの内部温度が一定温度まで上昇したか否かは、ＰＳＵ内、或いは、ＰＳＵ近傍に設けられた温度センサにより検出された温度が一定温度以上であるか否かを判定することで判断可能である。
【００３３】
ステップＳ１の判定結果がＹＥＳになると、ステップＳ２では、任意のＰＳＵと同じ電源系統から電源電圧を供給されている、前記任意のＰＳＵ以外の一又は複数のＰＳＵにおいても故障が発生して故障検出通知があるか否かを判定する。ステップＳ２の判定結果がＮＯであると、ステップＳ３では、任意のＰＳＵと同じ電源系統から電源電圧を供給されている、前記任意のＰＳＵ以外の一又は複数のＰＳＵにおいて停電が発生したか否かを前記任意のＰＳＵ以外の一又は複数のＰＳＵからの停電検出通知があるか否かに基づいて判定する。各ＰＳＵは、例えば図２に示すように電源系統からの入力電圧が一定時間内に一定電位まで低下した場合、周知の方法で停電が発生したと判断する。電源系統からの入力電圧が一定時間内に一定電位まで低下したか否かは、例えばＰＳＵ内の検出回路により判定することで判断可能である。
【００３４】
ステップＳ３の判定結果がＮＯであると、ステップＳ４では、一定時間が経過したか否かを判定する。一定時間が経過したか否かは、ＰＳＵ内のハードウェアタイマ又はソフトウェアタイマを用いた周知の方法で判定可能である。ステップＳ４の判定結果がＮＯであると、処理はステップＳ２へ戻る。他方、ステップＳ４の判定結果がＹＥＳであると、ステップＳ５では、ステップＳ１で故障が検出された任意のＰＳＵは実際に故障していると判定し、故障誤検出判定処理は終了する。
【００３５】
又、ステップＳ２、ステップＳ３、及びステップＳ４のいずれかの判定結果がＹＥＳであると、ステップＳ６では、ステップＳ１で故障が検出された任意のＰＳＵ及び任意のＰＳＵと同じ電源系統から電源電圧を供給されている前記任意のＰＳＵ以外の一又は複数のＰＳＵ、即ち、前記任意のＰＳＵと同じ電源系統から電源電圧を供給されている全てのＰＳＵ（例えば、ＰＳＵ３１２〜３Ｎ２）の故障は誤検出であると判定し、故障誤検出判定処理は終了する。尚、ステップＳ６で故障が誤検出であると判定された同じ電源系統から電源電圧を供給されている全てのＰＳＵは、周知の方法でリセットすることで復旧可能である。
【００３６】
このように、上記実施例によれば、ＰＳＵは、ＰＳＵ自身の故障を検出する機能と、停電を検出する機能を有するが、ＰＳＵの故障検出が誤検出であるか否かは、ＲＡＩＤ装置全体を監視する監視装置により判断する。このため、監視装置を用いることで、容易、且つ、高精度にＰＳＵによる故障の誤検出を判断可能となる。例えば、ＰＳＵが検出した故障が実際には電圧変換が正常に行えない原因が特殊な停電にありＰＳＵ自身は故障していない場合であれば、監視装置がＰＳＵ自身は故障していなと判定するので、ＰＳＵ自身が故障を誤検出しても自己縮退処理を行うことはない。このため、特殊な停電の原因が取り除かれた後は、故障を誤検出したＰＳＵを修理又は交換することなく、ＲＡＩＤ装置をＰＳＵが冗長化された状態で使用することができる。
【００３７】
上記実施例は、ＲＡＩＤ装置に適用されているが、対象となる装置は、電源系統が冗長化された複数のユニットで構成されたものであれば特に限定されない。つまり、電源系統が冗長化された複数のユニットは、ＨＤＤユニット等の記憶装置で形成された記憶ユニットに限定されない。要は、電源系統からの入力電圧が原因で発生した電源供給ユニット（ＰＳＵ）の故障の誤検出を、装置全体の状況から実際にはＰＳＵの故障ではなく故障の誤検出であることを、各ＰＳＵの状態に基づいて監視装置が判定するものであれば、装置は特に限定されない。
【００３８】
以上の実施例を含む実施形態に関し、更に以下の付記を開示する。
（付記１）
冗長化された電源系統のうち任意の１つの電源系統から電源電圧を供給される複数のユニット内の各々の電源供給ユニットにおいて対応する電源系統の停電又は前記電源供給ユニットの故障を検出する検出工程と、
前記任意の１つの電源系統から電源電圧を供給される前記複数のユニットにおいて検出された停電又は故障を監視装置で監視する監視工程を含み、
前記監視工程は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する、故障検出方法。
（付記２）
前記検出工程は、前記任意の１つの電源系統からの電源電圧が一定時間内に一定電位まで低下した場合に停電を検出する、付記１記載の故障検出方法。
（付記３）
前記検出工程は、前記任意の１つの電源系統からの電源電圧の電圧変換後の電位が一定電位未満の場合、又は、内部温度が一定温度まで上昇した場合に故障を検出する、付記１又は２記載の故障検出方法。
（付記４）
前記電圧変換後の電位が前記一定電位未満となるのは、前記任意の１つの電源系統からの電源電圧が一定時間不安定となり一定電位まで低下するのに一定期間より長い時間がかかる場合である、付記３記載の故障検出方法。
（付記５）
冗長化された電源系統から電源電圧を供給される複数のユニットを監視する監視装置であって、
前記冗長化された電源系統のうち任意の１つの電源系統から電源電圧を供給される複数のユニット内の各々の電源供給ユニットにおいて検出された対応する電源系統の停電に関する停電通知又は前記電源供給ユニット自身の故障に関する故障通知に基づいて、前記任意の１つの電源系統から電源電圧を供給される前記複数のユニットにおいて検出された停電又は故障を監視装置で監視する手段を備え、
前記手段は、前記任意の１つの電源系統から電源電圧を供給される前記複数のユニットのうち、１つのユニットにおいて故障が検出され、且つ、他の１つユニットにおいて停電又は故障が検出されると、前記１つのユニット及び前記他の１つのユニットにおいて検出された故障は誤検出であると判定する、監視装置。
（付記６）
前記停電通知は、前記任意の１つの電源系統からの電源電圧が一定時間内に一定電位まで低下したことを示す、付記５記載の監視装置。
（付記７）
前故障通知は、前記任意の１つの電源系統からの電源電圧の電圧変換後の電位が一定電位未満の場合、又は、内部温度が一定温度まで上昇したことを示す、付記５又は６記載の監視装置。
（付記８）
前記電圧変換後の電位が前記一定電位未満となるのは、前記任意の１つの電源系統からの電源電圧が一定時間不安定となり一定電位まで低下するのに一定期間より長い時間がかかる場合である、付記７記載の監視装置。
（付記９）
前記手段は、前記１つのユニットにおいて故障が検出され、一定時間経過しても他の１つユニットにおいて停電又は故障が検出されないと、前記１つのユニットにおいて検出された故障は誤検出ではないと判定する、付記５乃至８のいずれか１項記載の監視装置。
（付記１０）
前記複数のユニットの各々は、記憶装置を形成する、付記５乃至９のいずれか１項記載の監視装置。
（付記１１）
各々が、第１の電源系統からの電源電圧を供給される第１の電源供給ユニットと、第２の電源系統から電源電圧を供給される第２の電源供給ユニットを有する複数のユニットと、
前記第１の電源供給ユニットにおいて検出された前記第１の電源系統の停電に関する停電通知又は前記第１の電源供給ユニット自身の故障に関する故障通知に基づいて、１つの第１の電源供給ユニットにおいて故障が検出され、且つ、他の第１の電源供給ユニットにおいて停電又は故障が検出されると、前記１つの第１のユニット及び前記他の第１のユニットにおいて検出された故障は誤検出であると判定する第１の監視装置と、
前記第２の電源供給ユニットにおいて検出された前記第２の電源系統の停電に関する停電通知又は前記第２の電源供給ユニット自身の故障に関する故障通知に基づいて、１つの第２の電源供給ユニットにおいて故障が検出され、且つ、他の第２の電源供給ユニットにおいて停電又は故障が検出されると、前記１つの第２のユニット及び前記他の第２のユニットにおいて検出された故障は誤検出であると判定する第２の監視装置を備えた、装置。
（付記１２）
前記複数のユニットは、記憶装置を更に有する記憶ユニットを形成する、付記１１記載の装置。
【００３９】
以上、開示の故障検出方法及び監視装置を実施例により説明したが、本発明は上記実施例に限定されるものではなく、本発明の範囲内で種々の変形及び改良が可能であることは言うまでもない。
【符号の説明】
【００４０】
３−１〜３−Ｎ      ＨＤＤユニット
４−１，４−２      ネットワーク
５−１，５−２      電源ケーブル
１１      ＲＡＩＤ装置
１２−１，１２−２      監視装置
２１，２２      電源系統
３１１〜３Ｎ１，３１２〜３Ｎ２      ＰＳＵ
【図１】
2011034219.tif 000003
【図２】
2011034219.tif 000004
【図３】
2011034219.tif 000005
【図４】
2011034219.tif 000006
【図５】
2011034219.tif 000007
【図６】
2011034219.tif 000008
【図７】
2011034219.tif 000009